(57)【要約】【課題】デジタル撮影機器で被写体を撮影して得られた画像データを、非接触で撮影装置に送信しプリント、受信した画像データを外部送信が可能な撮影システムを提供する。【解決手段】撮影して画像データを得る撮影手段、撮影手段により得られた画像データを記憶する記憶手段、および記憶された画像データを撮影装置に送信するための第１アンテナとを有するデジタル撮影機器と、デジタル撮影機器に設けた前記第１アンテナからの少なくとも画像データを受信する第２アンテナ、前記第２アンテナで受信した画像データに基づきプリントするプリント手段、および／または第２アンテナで受信した画像データを撮影装置の外部に送信する外部画像データ送信手段を有する撮影装置とを備えた撮影システム。【選択図】        図２
2004336515.tif 000002
【特許請求の範囲】
【請求項１】
デジタル撮影機器と撮影装置とを備えた撮影システムであって、
被写体を撮影して画像データを得る撮影手段、前記撮影手段により得られた画像データを記憶する記憶手段、および前記記憶手段に記憶された画像データを撮影装置に送信するための第１アンテナを有するデジタル撮影機器と、
前記第１アンテナから送信された画像データを受信する第２アンテナ、前記第２アンテナで受信した画像データに基づきプリントするプリント手段および／または前記第２アンテナで受信した画像データを外部に送信する画像データ外部送信手段を有する撮影装置と、を備えたことを特徴とする撮影システム。
【請求項２】
デジタル撮影機器と撮影装置とを備えた撮影システムであって、
被写体を撮影して画像データを得る撮影手段、前記撮影手段により得られた画像データを記憶し且つ前記画像データを非接触で送信するための第１アンテナを含む記憶手段を有するデジタル撮影機器と、
前記第１アンテナから送信された画像データを受信する第２アンテナ、前記第２アンテナで受信した画像データに基づきプリントするプリント手段および／または前記第２アンテナで受信した画像データを外部に送信する画像データ外部送信手段を有する撮影装置と、を備えたことを特徴とする撮影システム。
【請求項３】
送信アダプタと撮影装置とを備えた撮影システムであって、被写体を撮影して画像データを得る撮影手段と得られた画像データを記憶する記憶部を有する記憶手段とを設けたデジタル撮影機器により画像データが記憶された前記記憶部が装填できる装填部と前記記憶部の画像データを送信するための第１アンテナとを有する送信アダプタと、
前記第１アンテナから送信された画像データを受信する第２アンテナ、前記第２アンテナで受信した画像データに基づきプリントするプリント手段および／または受信した画像データを撮影装置の外部に送信する画像データ外部送信手段を有する撮影装置と、を備えたことを特徴とする撮影システム。
【請求項４】
前記第１アンテナが配置された第１平面と前記第２アンテナが配置された第２平面とは略平行であり、前記第１平面と前記第２平面との平行間隔は０．１ｃｍ以上、１５ｃｍ以下であることを特徴とする請求項１、２または３に記載の撮影システム。
【請求項５】
前記第１アンテナと前記第２アンテナとの間で、電磁波または電波により少なくとも画像データが送受信されることを特徴とする請求項１から４のいずれか１項に記載の撮影システム。
【請求項６】
被写体を撮影して画像データを得る撮影手段と前記撮影手段により得られた画像データを記憶する記憶手段を有するデジタル撮影機器に設けた前記記憶された画像データを送信するための第１アンテナからの画像データを受信する第２アンテナと、
前記第２アンテナで受信した画像データに基づきプリントするプリント手段および／または前記第２アンテナで受信した画像データを撮影装置の外部に送信する画像データ外部送信手段と、を備えたことを特徴とする撮影装置。
【請求項７】
被写体を撮影して画像データを得る撮影手段と前記撮影手段により得られた画像データを記憶する記憶手段を備えたデジタル撮影機器に設けた記憶された画像データを非接触で送信するための前記記憶手段に設けた第１アンテナからの画像データを受信する第２アンテナと、
前記第２アンテナで受信した画像データに基づきプリントするプリント手段および／または前記第２アンテナで受信した画像データを撮影装置の外部に送信する画像データ外部送信手段と、を備えたことを特徴とする撮影装置。
【請求項８】
被写体を撮影して画像データを得る撮影手段と前記撮影手段により得られた画像データを記憶する記憶部を有する記憶手段を設けたデジタル撮影機器により、画像データが記録された前記記憶部が装填できる装填部を有する送信アダプタに設けた前記記憶部の画像データを撮影装置に送信するための第１アンテナからの画像データを受信する第２アンテナと、
前記第２アンテナで受信した画像データに基づきプリントするプリント手段および／または受信した画像データを撮影装置の外部に送信する画像データ外部送信手段と、
を備えたことを特徴とする撮影装置。
【請求項９】
撮影装置は、少なくとも身分証明書、パスポート、クレジットカード、社員証の１つである証明用の写真をプリント可能であることを特徴とする請求項６から８のいずれか１項に記載の撮影装置。
【請求項１０】
前記第２アンテナが電磁波または電波を送受信可能な場所の領域範囲を外装部に表示したことを特徴とする請求項６から９のいずれか１項に記載の撮影装置。
【請求項１１】
被写体を撮影して画像データを得る撮影手段、前記撮影手段により得られた画像データを記憶する記憶手段、および前記記憶された画像データを送信するための第１アンテナを有するデジタル撮影機器であって、
受信した画像データに基づきプリントするプリント手段および／または受信した画像データを外部に送信する画像データ外部送信手段を有する撮影装置に設けた第２アンテナに、前記第１アンテナから画像データを送信可能であることを特徴とするデジタル撮影機器。
【請求項１２】
前記第１アンテナが電磁波または電波を送受信可能な場所の領域範囲を外装部に表示したことを特徴とする請求項１１に記載のデジタル撮影機器。
【請求項１３】
被写体を撮影して画像データを得る撮影手段と、前記撮影手段により得られた画像データを記憶し且つ記憶された画像データを非接触で送信するための第１アンテナとを有する記憶手段とを有するデジタル撮影機器であって、
受信した画像データに基づきプリントするプリント手段および／または受信した画像データを撮影装置の外部に送信する画像データ外部送信手段を有する撮影装置に設けた第２アンテナに前記第１アンテナから画像データを送信可能であることを特徴とするデジタル撮影機器。
【請求項１４】
デジタル撮影機器が、デジタルカメラまたはカメラ付き携帯電話であることを特徴とする請求項１１、１２または１３に記載のデジタル撮影機器。
【請求項１５】
被写体を撮影して画像データを得る撮影手段と前記撮影手段により得られた画像データを記憶する記憶部を有する記憶手段とを設けたデジタル撮影機器により画像データが記憶された記憶部が装填できる装填部と、前記記憶部の画像データを撮影装置に送信するための第１アンテナとを有する送信アダプタであって、
画像データを受信する第２アンテナで受信した画像データに基づきプリントするプリント手段および／または受信した画像データを撮影装置の外部に送信する画像データ外部送信手段を有する撮影装置に設けた第２アンテナに、前記第１アンテナから画像データを送信可能であることを特徴とする送信アダプタ。
【請求項１６】
前記第１アンテナが電磁波または電波を送受信可能な場所の領域範囲を外装部に表示したことを特徴とする請求項１５に記載の送信アダプタ。
【発明の詳細な説明】
【０００１】
【発明の属する技術分野】
本発明は、撮影システム、撮影装置、デジタル撮影機器および送信アダプタに係わる。
【０００２】
さらに詳しくは、被写体を撮影して得られた画像データを非接触で受信可能な機能を有する撮影システム、前記撮影システムに用いる撮影装置、デジタルカメラ等のデジタル撮影機器、および送信アダプタに関する。
【０００３】
特に、被写体を撮影して得た画像データを非接触で、撮影装置に送りプリントできるようにした撮影システムに関するものである。
【０００４】
【従来の技術】
従来より、デジタル撮影機器として、被写体を撮影して得られた画像データをメモリカード等に記録させるデジタルカメラ等のデジタル撮影機器がある。
【０００５】
また、撮影装置として、装置内に撮影カメラ、操作部等が設けられ被撮影者が装置内に設けられた操作部から必要なプリントサイズを入力し、被撮影者を撮影し顔画像情報が記録された画像データに基づきプリントする証明写真用の撮影装置がある。
【０００６】
また、プリント装置として、画像データが記憶されたメモリカードをアダプタに電気的に接触させて画像データに基づきプリント可能なプリント装置がある。
【０００７】
さらに、前述の証明写真用の撮影装置において、画像データを外部に送信できる機能を備えた撮影システムも知られている（特許文献１参照）。
【０００８】
【特許文献１】
特開２００１−２３６５０４号公報
【０００９】
【発明が解決しようとする課題】
しかしながら、従来の撮影システム、撮影装置、デジタル撮影機器には下記のような課題がある。即ち、被写体を撮影して得られた画像データが記録されたメモリーカード等を電気的に接続させて、画像データを読み取ろうとすると、電気的な接続部分で導通不良が起こりやすく、また、撮影して得られた画像データが記録されたメモリーカード等をデジタルカメラ（デジタル撮影機器）より取り出さないと、画像データを読み取ることができないといった問題がある。
【００１０】
本発明は上記の課題に鑑みなされたものである。第１発明の目的は、デジタル撮影機器で被写体を撮影して得た画像データを電磁波または電波により非接触で撮影装置に送信し、プリントおよび／または画像データの外部送信が可能な撮影システムを提供することにある。
【００１１】
第２発明の目的は、このような撮影システムに用いる撮影装置を提供することにある。
【００１２】
第３発明の目的は、このような撮影システムに用いるデジタル撮影機器を提供することにある。
【００１３】
第４発明の目的は、このような撮影システムに用いるデジタル撮影機器の記録部を装填可能な送信アダプタを提供することにある。
【００１４】
【課題を解決するための手段】
第１発明の撮影システムの目的は下記の手段のいずれかにより達成できる。
【００１５】
（１）デジタル撮影機器と撮影装置とを備えた撮影システムであって、被写体を撮影して画像データを得る撮影手段、前記撮影手段により得られた画像データを記憶する記憶手段、および前記記憶手段に記憶された画像データを撮影装置に送信するための第１アンテナを有するデジタル撮影機器と、前記第１アンテナから送信された画像データを受信する第２アンテナ、前記第２アンテナで受信した画像データに基づきプリントするプリント手段および／または前記第２アンテナで受信した画像データを外部に送信する画像データ外部送信手段を有する撮影装置と、を備えたことを特徴とする撮影システム。
【００１６】
（２）デジタル撮影機器と撮影装置とを備えた撮影システムであって、被写体を撮影して画像データを得る撮影手段、前記撮影手段により得られた画像データを記憶し且つ前記画像データを非接触で送信するための第１アンテナを含む記憶手段を有するデジタル撮影機器と、前記第１アンテナから送信された画像データを受信する第２アンテナ、前記第２アンテナで受信した画像データに基づきプリントするプリント手段および／または前記第２アンテナで受信した画像データを外部に送信する画像データ外部送信手段を有する撮影装置と、を備えたことを特徴とする撮影システム。
【００１７】
（３）送信アダプタと撮影装置とを備えた撮影システムであって、被写体を撮影して画像データを得る撮影手段と得られた画像データを記憶する記憶部を有する記憶手段とを設けたデジタル撮影機器により画像データが記憶された前記記憶部が装填できる装填部と前記記憶部の画像データを送信するための第１アンテナを有する送信アダプタと、前記第１アンテナから送信された画像データを受信する第２アンテナ、前記第２アンテナで受信した画像データに基づきプリントするプリント手段および／または受信した画像データを撮影装置の外部に送信する画像データ外部送信手段を有する撮影装置と、を備えたことを特徴とする撮影システム。
【００１８】
第２発明の撮影装置の目的は下記の手段のいずれかにより達成できる。
（４）被写体を撮影して画像データを得る撮影手段と前記撮影手段により得られた画像データを記憶する記憶手段を有するデジタル撮影機器に設けた前記記憶された画像データを送信するための第１アンテナからの画像データを受信する第２アンテナ、前記第２アンテナで受信した画像データに基づきプリントするプリント手段および／または前記第２アンテナで受信した画像データを撮影装置の外部に送信する画像データ外部送信手段と、を備えたことを特徴とする撮影装置。
【００１９】
（５）被写体を撮影して画像データを得る撮影手段と前記撮影手段により得られた画像データを記憶する記憶手段を備えたデジタル撮影機器に設けた記憶された画像データを非接触で送信するための前記記憶手段に設けた第１アンテナからの画像データを受信する第２アンテナと、前記第２アンテナで受信した画像データに基づきプリントするプリント手段および／または前記第２アンテナで受信した画像データを撮影装置の外部に送信する画像データ外部送信手段と、を備えたことを特徴とする撮影装置。
【００２０】
（６）被写体を撮影して画像データを得る撮影手段と前記撮影手段により得られた画像データを記憶する記憶部を有する記憶手段を設けたデジタル撮影機器により、画像データが記録された前記記憶部が装填できる装填部を有する送信アダプタに設けた前記記憶部の画像データを撮影装置に送信するための第１アンテナからの画像データを受信する第２アンテナと、前記第２アンテナで受信した画像データに基づきプリントするプリント手段および／または受信した画像データを撮影装置の外部に送信する画像データ外部送信手段と、を備えたことを特徴とする撮影装置。
【００２１】
第３発明のデジタル撮影機器の目的は下記の手段のいずれかにより達成できる。
【００２２】
（７）被写体を撮影して画像データを得る撮影手段、前記撮影手段により得られた画像データを記憶する記憶手段、および前記記憶された画像データを送信するための第１アンテナを有するデジタル撮影機器であって、受信した画像データに基づきプリントするプリント手段および／または受信した画像データを外部に送信する画像データ外部送信手段を有する撮影装置に設けた第２アンテナに、前記第１アンテナから画像データを送信可能であることを特徴とするデジタル撮影機器。
【００２３】
（８）被写体を撮影して画像データを得る撮影手段と、前記撮影手段により得られた画像データを記憶し且つ記憶された画像データを非接触で送信するための第１アンテナとを有する記憶手段とを有するデジタル撮影機器であって、受信した画像データに基づきプリントするプリント手段および／または受信した画像データを撮影装置の外部に送信する画像データ外部送信手段を有する撮影装置に設けた第２アンテナに前記第１アンテナから画像データを送信可能であることを特徴とするデジタル撮影機器。
【００２４】
第４発明の送信アダプタの目的は下記の手段により達成できる。
（９）被写体を撮影して画像データを得る撮影手段と前記撮影手段により得られた画像データを記憶する記憶部を有する記憶手段とを設けたデジタル撮影機器により画像データが記憶された記憶部が装填できる装填部と、前記記憶部の画像データを撮影装置に送信するための第１アンテナとを有する送信アダプタであって、画像データを受信する第２アンテナで受信した画像データに基づきプリントするプリント手段および／または受信した画像データを撮影装置の外部に送信する画像データ外部送信手段を有する撮影装置に設けた第２アンテナに、前記第１アンテナから画像データを送信可能であることを特徴とする送信アダプタ。
【００２５】
ここで、本発明の明細書において用いる用語の意味について説明する。「デジタル撮影機器」とは、被写体を撮影して画像データを得ることができる機器のすべてを意味し、例えば、デジタルカメラ、写真の撮れるカメラ付き携帯電話、デジタルビデオ等をいう。また、「画像データ」とは、あらゆる被写体を撮影して得られる画像のデータであり、画像として人物、風景、動物、文字、図形、建物等を含むものとする。
【００２６】
また、「撮影装置」とは、前記デジタル撮影機器により得られた画像データを非接触で画像データを送信し、読み取られた画像データに基づき何らかの後処理、例えばプリント、さらに画像データを外部送信等ができる装置をいう。さらに、「撮影システム」とは、少なくとも撮影装置を含むシステムである。例えば、前記デジタル撮影機器と前記撮影装置とを有機的に結合したシステム、また、前記デジタル撮影機器により得られた画像データが記録された記録部と前記撮影装置とを有機的に結合したシステム、さらに、記憶部が装填可能な送信アダプタと撮影装置とを有機的に結合したシステム等をいう。
【００２７】
【発明の実施の形態】
以下、本発明の実施の形態に係わる撮影システム、デジタル撮影機器、撮影装置および送信アダプタについて図面を参照して説明する。
【００２８】
最初に、本発明の実施の形態に係わる一例の撮影システムの概要構成について説明する。図１は実施の形態に係わる撮影システムの概要を示す斜視図である。図１に示すように、この撮影システム１０は、デジタル撮影機器６０及び撮影装置２０とで構成されている。デジタルカメラ等のデジタル撮影機器６０で被写体を撮影して得た画像データを非接触で撮影装置２０に送り、プリントおよび／または画像データの外部送信ができるようにしたシステムである。
【００２９】
撮影装置２０は、野外に設置される無人のボックス１１で、各種証明用写真を得ることができる。装置の正面には被撮影者のボックス入口１２が設けられ、天井には外部へ送信のためのアンテナが設けられ、ボックス１１の内部には、後述する撮影手段、表示窓、操作部等がそれぞれ設けられている。撮影装置２０には後述するプリント手段および外部に送信する画像データ外部送信手段２６を有している。
【００３０】
また、デジタル撮影機器６０は、被写体を撮影して画像データを得る撮影手段、得られた画像データを記憶する記憶手段、記憶された画像データを撮影装置２０に送信するための第１アンテナ等を有している。
【００３１】
（実施の形態１）
実施の形態１に係わる撮影システムについて説明する。図２は実施の形態１に係わる撮影システムの全体構成を示す図、図３は画像データを非接触で読み取る状態を示す斜視図である。図２および図３に示すように、撮影システム１０Ａは、デジタルカメラ等の撮影装置２０Ａおよびデジタル撮影機器６０Ａとで構成されている。また、撮影システム１０Ａは、デジタル撮影機器６０Ａで被写体を撮影した画像データを撮影装置２０Ａでプリントおよび／または画像データの外部送信ができる。撮影システム１０Ａは、被撮影者を撮影して、身分証明書、パスポート、社員証等の証明写真をプリントでき画像データの外部送信も可能となっている。
【００３２】
次に、デジタル撮影機器６０Ａは、デジタル撮影機器の本体６１、デジタル撮影機器を制御する制御手段６５、被写体を撮影して画像データを得る撮影手段６２、得られた画像データを記憶する記憶部１Ｍを有する記憶手段６３、記憶された画像データを撮影装置２０Ａに送信するための第１アンテナ６４、前記第１アンテナ６４が配置されている。さらに、第１平面６６には、第１アンテナ６４が送受信可能な範囲を示す範囲マーク６７が表示されている。
【００３３】
撮影装置２０Ａは、撮影装置の本体２１、撮影手段２２、画像データを記憶する記録手段２３、画像データを受信する第２アンテナ２４、プリント手段２５、画像データ外部送信手段２６、表示部２７、操作部２８、制御手段２９、第２平面２１１、および範囲マーク２１２等で構成されている。
【００３４】
撮影手段２２は被撮影者を撮影する手段であり、プリント手段２５は撮影手段２２による画像データに基づきプリントすると共に、第２アンテナ４０で受信した画像データに基づきプリントする。また、表示部２７は表示内容をハーフミラーで屈曲させ、表示窓より撮影位置の確認表示等がなされる。画像データ外部送信手段２６は証明用に撮影して得られた画像データや、第２アンテナ２４で送受信した画像データを撮影装置２０Ａの外部に送信する手段である。また、第２アンテナ２４はデジタル撮影機器６０Ａに設けた第１アンテナ６４からの画像データを受信する。
【００３５】
第１アンテナ６４が配置された第１平面６６と第２アンテナ２４が配置された第２平面２１１とは略平行であり、第１平面６６と、第２平面２１１との通信間隔は０．１ｃｍ以上、１５ｃｍ以下に設定されており、その範囲を超えた場合は、通信を不可能とする機構を有する。電磁波または電波のノイズが入りやすくなり、第１アンテナ６４と第２アンテナ２４との間で電磁波または電波により画像データが送信される。さらに、第２平面２１１には第２アンテナ２４が送受信可能な範囲を示す範囲マーク２１２が設けられている。
【００３６】
なお、デジタル撮影機器６０Ａと撮影装置２０Ａの非接触の送信部は、予め規格化され仕様により製作されたものである。ここでその仕様の一例を説明すると、周波数は１３．５６ＭＨｚ、規格はＩＳＯ／ＩＥＣ１４４４３に準拠しており、送受信距離は０．１ｃｍから１５ｃｍである。送受信距離は近接型で有り、近接型の特徴を生かしたものである。電磁波または電波を利用し、範囲マーク６７、２１２を互いに合わせることにより正確に送受信可能となる。
【００３７】
（動作例１の説明）
デジタル撮影機器６０Ａにより被写体を撮影し、撮影装置２０Ａでプリントする場合の動作について説明する。
【００３８】
デジタル撮影機器６０Ａで被写体を撮影し、画像データを記憶手段６３の記憶部１Ｍに記憶する。デジタル撮影機器６０Ａを撮影装置２０Ａの内部に設けられた第２平面２１１に置く。すると、画像データが第１アンテナ６４から第２アンテナ２４へ非接触で送信される。画像データは記憶手段２３に格納される。操作部２８よりプリント条件等を入力する。画像データは制御手段２９で画像処理され、画像処理されたデータに基づきプリント手段２５でプリントされる。以上により、特に画像データ等が従来の有線による方法に比べゴミ等に影響されず確実に送られるようになる。
【００３９】
（動作例２の説明）
次に、デジタル撮影機器６０Ａで被写体を撮影して得た画像データを撮影装置２０Ａにより外部に送信する動作について説明する。
【００４０】
デジタル撮影機器６０Ａで被写体を撮影して画像データを記憶手段６３の記憶部１Ｍに記憶し、デジタル撮影機器６０Ａを撮影装置２０Ａの第２平面２１１にセットし、第１アンテナ６４から第２アンテナ２４へ非接触で画像データを送信し、さらに画像データを記憶手段２３に格納する。外部送信条件等を操作部２８より入力する。例えば、画像データをインターネット網を介して自宅のパソコンに送信する指示を入力する。画像データが画像データ外部送信手段２６により自宅に送信される。以上により、特に画像データ等が従来の有線による方法に比べゴミ等に影響されず確実に送られるようになる。なお、デジタル撮影機器としてデジタルカメラについて説明したが、例えばカメラ付き携帯電話等であってもよい。
【００４１】
（実施の形態２）
実施の形態２に係わる撮影システム等について説明する。図４は実施の形態２に係わる撮影システムの全体構成を示す図である。図４に示すように、撮影システム１０Ｂは、撮影装置２０Ｂおよびデジタル撮影機器６０Ｂ（含む記録部２Ｍ）とで構成されている。
【００４２】
撮影システム１０Ｂは、デジタル撮影機器６０Ｂで被写体を撮影した画像データを撮影装置２０Ｂでプリント、および／または画像データの外部送信ができるようになっており、また、被撮影者を撮影して証明用写真もプリントできるようになっている。
【００４３】
次に、デジタルカメラ等のデジタル撮影機器６０Ｂは、デジタル撮影機器の本体６１、デジタル撮影機器を制御する制御手段６５、被写体を撮影して画像データを得る撮影手段６２、撮影手段６２により得られた画像データを記憶する記憶手段６３が設けられている。なお、記憶手段６３には記憶部２Ｍがある。記憶部２Ｍには、記憶された画像データを撮影装置２０Ｂに送信するための第１アンテナ２Ｍ２、第１アンテナ２Ｍ２が配置された第１平面２Ｍ４、第１アンテナ２Ｍ２の送受信可能な範囲を示す範囲マーク２Ｍ３がそれぞれ設けられている。
【００４４】
一方、撮影装置２０Ｂは前述の撮影装置２０Ａと同様であるので、構造的、機構的に同じ部分は同一符号を付け説明を省略する。
【００４５】
第１アンテナ２Ｍ２が配置された第１平面２Ｍ４と、第２アンテナ２４が配置された第２平面２１１とは略平行としてある。第１平面２Ｍ４と第２平面２１１との平行間隔は０．１ｃｍ以上、１５ｃｍ以下である。第１アンテナ２Ｍ２と第２アンテナ２４との間で、電磁波または電波により画像データが送信される。さらに、第２平面２１１には第２アンテナ２４が送受信可能な範囲を示す範囲マーク２１２が設けられている。
【００４６】
（動作例１の説明）
デジタル撮影機器６０Ｂで被写体を撮影し画像データを得て、撮影装置２０Ｂでプリントする場合の動作について説明する。
【００４７】
デジタルカメラ等のデジタル撮影機器６０Ｂで、被写体を撮影し画像データを記憶部２Ｍに記憶する。デジタル撮影機器６０Ｂより記憶部２Ｍを外部に取り出し、取り出された記憶部２Ｍを撮影装置２０Ｂの第２平面２１１に範囲マーク２Ｍ３、２１２を合わせて置く。画像データを第１アンテナ２Ｍ２から第２アンテナ２４へ非接触で送信する。画像データを記憶手段２３に格納する。操作部２８からプリント条件等を入力する。画像データを制御手段２９で画像処理して、画像処理されたデータでプリント手段２５によりプリントする。以上により、特に画像データ等が従来の有線による方法に比べゴミ等に影響されず確実に送られるようになる。
【００４８】
（動作例２の説明）
次に、デジタル撮影機器６０Ｂで被写体を撮影し得た画像データを撮影装置２０Ｂにより外部に送信する動作について説明する。
【００４９】
デジタル撮影機器６０Ｂで被写体を撮影し、画像データを記憶部２Ｍに記憶し、記憶部２Ｍを取り出し、第２平面２１１に置き、画像データを第１アンテナ２Ｍ２から第２アンテナ２４へ非接触で画像データを送信し、さらに画像データを記憶手段２３に格納する。外部送信条件等を操作部２８により入力し、例えば、画像データをインターネット網を介して自宅に送信する指示を入力する。さらに、画像データが画像データ外部送信手段２６により自宅のパソコンに送信される。以上により、画像データ等が従来の有線による方法に比べゴミ等に影響されず確実に送られるようになる。なお、実施の形態ではデジタル撮影機器としてデジタルカメラについて説明したがカメラ付き携帯電話等であってもよい。
【００５０】
（実施の形態３）
実施の形態３に係わる撮影システム等について説明する。図５は実施の形態３に係わる撮影システムの全体構成を示す図である。図５に示すように、撮影システム１０Ｃは、デジタル撮影機器６０Ｃ、送信アダプタ９０および撮影装置２０Ｃとで構成されている。
【００５１】
撮影システム１０Ｃは、デジタル撮影機器６０Ｃで被写体を撮影した画像データを記憶部３Ｍに記憶し、記憶部３Ｍを外部に取り出し、送信アダプタ９０に装填し、さらに、送信アダプタ９０を介して画像データを送信してプリントおよび／または画像データの外部送信ができるようになっている。
【００５２】
次に、デジタルカメラ等のデジタル撮影機器６０Ｃは、デジタル撮影機器の本体６１、デジタル撮影機器を制御する制御手段６５、被写体を撮影して画像データを得る撮影手段６２、撮影手段６２により得られた画像データを記憶する記憶手段６３を備えている。なお、記憶手段６３には記憶部３Ｍを有している。
【００５３】
送信アダプタ９０は、記録部３Ｍを装填できる装填部９２、記憶された画像データを撮影装置２０Ｃに送信するための第１アンテナ９３、第１アンテナ９３が配置された第１平面９５、第１平面９５設けられ第１アンテナ９３が送信可能な範囲を示す範囲マーク９６を備えている。
【００５４】
また、撮影装置２０Ｃは前述の撮影装置２０Ａと同様であるので、構造的、機構的に同じ部分は同一符号を付け説明を省略する。
【００５５】
第１アンテナ９３が配置された第１平面９５と第２アンテナ２４が配置された第２平面２１１とは略平行としている。第１平面９５と第２平面２１１との平行間隔は０．１ｃｍ以上、１５ｃｍ以下としている。第１アンテナ９３と第２アンテナ２４との間で、電磁波または電波により画像データが送信される。第２平面２１１には第２アンテナ２４が送受信可能な範囲を示す範囲マーク２１２が設けられている。
【００５６】
なお、デジタル撮影機器６０Ｃと撮影装置２０Ｃの非接触の送受信部は、予め規格化され仕様により製作されたものである。仕様の一例を説明すると、周波数は１３．５６ＭＨｚ、規格はＩＳＯ／ＩＥＣ１４４４３に準拠しており、送受信距離は０．１ｃｍから１５ｃｍ（近接型）で有り、電磁波または電波を利用、範囲マーク６７、２１２を合わせることにより送受信できる。
【００５７】
実施の形態では、撮影システム１０Ｃは、デジタル撮影機器６０Ｃ、送信アダプタ９０、撮影装置２０Ｃの構成について説明したが、撮影システム１０Ｃは、撮影装置２０Ｃ、送信アダプタ９０とで構成することもできる。
【００５８】
（動作例１の説明）
デジタルカメラ等のデジタル撮影機器６０Ｃで被写体を撮影した画像データを記憶部３Ｍに記憶し、記憶部３Ｍを外部に取り出し、送信アダプタ９０に装填し、さらに送信アダプタ９０をセットする場合の動作について説明する。
【００５９】
デジタル撮影機器６０Ｃで、被写体を撮影して画像データを記憶手段６３の記憶部３Ｍに記憶する。記憶手段６３の記憶部３Ｍを外部に取り出し、取り出された記憶部３Ｍを送信アダプタ９０に装填する。送信アダプタ９０を第２平面２１１に置き、画像データを第１アンテナ９３から第２アンテナ２４へ非接触で送信する。画像データを記憶手段２３に格納する。操作部２８によりプリント条件等を入力する。画像データが制御手段２９で画像処理され、プリント手段２５でプリントする。以上により、特に画像データ等が従来の有線による方法に比べゴミ等に影響されず確実に送られるようになる。
【００６０】
（動作例２の説明）
次に、デジタルカメラ等のデジタル撮影機器６０Ｃで被写体を撮影して得た画像データを撮影装置２０Ｃにより外部に送信する動作について説明する。
【００６１】
デジタル撮影機器６０Ｃで被写体を撮影し、画像データを記憶手段６３に記憶し、記憶手段６３の記憶部３Ｍを外部に取り出す。記憶部３Ｍを送信アダプタ９０に装填する。送信アダプタ９０を第２平面２１１に置き、画像データを第１アンテナ９３から第２アンテナ２４へ非接触で送信する。画像データを記憶手段２３に格納する。操作部２８により送信条件等を入力する。画像データを画像データ外部送信手段２６より送信する。以上により、特に画像データ等が従来の有線による方法に比べゴミ等に影響されず確実に送られるようになる。
【００６２】
なお、実施の形態ではデジタル撮影機器としてデジタルカメラの例について説明したがこれに限定されるものではなく、例えば、カメラ付き携帯電話でも同様である。
【００６３】
また、実施の形態では、撮影システムとして、身分証明用撮影とプリント、および一般被写体のプリントが可能な例について説明したが、これに限定されるものではなく、例えば、２ショット等の記念撮影とプリント、および一般被写体のプリントが可能な場合でも同様である。さらに、実施の形態では、プリント手段および外部画像データ送信手段を有する撮影システムについて説明したが、プリント手段のみ、また外部画像データ送信手段のみでもよい。
【００６４】
【発明の効果】
以上のように構成したので下記のような効果を奏する。
【００６５】
本発明の撮影システムによれば、デジタル撮影機器等で被写体を撮影して得た画像データを電磁波または電波により非接触で撮影装置に送信し、プリント可能、および／または画像データを外部送信可能となった。特に画像データ等が従来の有線による方法に比べゴミ等に影響されず確実に送られるようになる。
【００６６】
また、本発明の撮影装置によれば、このような撮影システムに用いるに適した撮影装置になる。
【００６７】
また、本発明のデジタル撮影機器および送信アダプタによれば、このような撮影システムに用いるに適したデジタル撮影機器および送信アダプタとなる。
【図面の簡単な説明】
【図１】実施の形態に係わる一例の撮影システムを適用した概略構成を示す図である。
【図２】実施の形態１に係わる撮影システムの全体構成を示す図である。
【図３】画像データを非接触で読み取る状態を示す斜視図である。
【図４】実施の形態２に係わる撮影システムの全体構成を示す図である。
【図５】実施の形態３に係わる撮影システムの全体構成を示す図である。
【符号の説明】
１０、１０Ａ、１０Ｂ、１０Ｃ  撮影システム
２０、２０Ａ、２０Ｂ、２０Ｃ  撮影装置
２１２、６７、９６、２Ｍ３  範囲マーク
２３  記録手段
２４  第２アンテナ
２５  プリント手段
２６  画像データ外部送信手段
２８  操作部
６０、６０Ａ、６０Ｂ、６０Ｃ  デジタル撮影機器
６２  撮影手段
６３  記憶手段
６４、９３、２Ｍ２  第１アンテナ
６６、９５、２Ｍ４  第１平面
９０  送信アダプタ
９２  装填部
１Ｍ、２Ｍ、３Ｍ  記憶部
【図１】
2004336515.tif 000003
【図２】
2004336515.tif 000004
【図３】
2004336515.tif 000005
【図４】
2004336515.tif 000006
【図５】
2004336515.tif 000007